(57)【要約】【課題】  リビング・ダイニングルームにいて手洗い、布巾洗い、化粧、洗顔等を行うことができる対面式厨房装置を提供すること。【解決手段】  キッチンとリビング・ダイニングルームとの境界に設置される対面式厨房装置において、シンク１をキッチン側に、洗面ボウル３をリビング・ダイニングルーム側に備え、洗面ボウルはシンクに対面して配置されている。【選択図】図１
2007054411.tif 000002
【特許請求の範囲】
【請求項１】
キッチンとリビング・ダイニングルームとの境界に設置される対面式厨房装置において、シンクをキッチン側に、洗面ボウルをリビング・ダイニングルーム側に備え、洗面ボウルはシンクに対面して配置されていることを特徴とする対面式厨房装置。
【請求項２】
シンク、洗面ボウルのそれぞれにカランが設けられている請求項１記載の対面式厨房装置。
【請求項３】
洗面ボウルの配置位置に対応して鏡が設けられている請求項１または２記載の対面式厨房装置。
【請求項４】
洗面ボウルが対面式厨房装置の本体に収納可能になっている請求項１ないし３いずれか１項に記載の対面式厨房装置。
【請求項５】
シンクの背側からリビング・ダイニングルーム側にかけて一段高くなったカウンター部が設けられ、洗面ボウルはカウンター部の下方に配置され、カウンター部の天板の一部または全部が蓋体とされ、蓋体は上下に回動して開閉し、蓋体には、開時にリビング・ダイニングルーム側に位置する面に鏡が設けられている請求項１ないし３いずれか１項に記載の対面式厨房装置。
【発明の詳細な説明】
【技術分野】
【０００１】
本願発明は、対面式厨房装置に関する。
【背景技術】
【０００２】
住宅の間取りでは、キッチンとリビング・ダイニングルームを隣接させ、続き間とするのが主流となっている。この場合、キッチンに配設される厨房装置は、キッチンとリビング・ダイニングルームの境界に設置される対面式となっている。
【０００３】
対面式厨房装置は、調理、後片付け等のキッチンでの作業を開放感のある空間で行い、会話を交えた和やかな雰囲気で行うのを可能にしている。キッチンでの作業はリビング・ダイニングルームに向かって行うことができ、このため、開放感を味わえ、配膳や後片付けは、対面式厨房装置に備えたカウンター部を経由して行うことができる。
【０００４】
一方、厨房装置として、シンクと洗面ボウルを横に並設したものを本出願人は提案している（特許文献１）。特許文献１に記載された厨房装置は、間取りに余裕を持たせることができ、配管工事を簡単にすることができるという利点を有している。
【特許文献１】実願昭５７−１３９４５５号（実開昭５９−４４３４９号）のマイクロフィルム
【発明の開示】
【発明が解決しようとする課題】
【０００５】
厨房装置への洗面ボウルの組み込みは、対面式厨房装置にも要望され始めている。手洗い、布巾洗い、化粧、洗顔等を洗面室に行かなくとも、リビング・ダイニングルームにいて行うことができれば便利である。また、洗面室は、一般に、比較的暗い場所であり、照明によっても顔色が異なって見えることがあるとともに、狭く、冬場は寒いなど環境的に決して快適な場所であるとは言い切れない。その点、リビング・ダイニングルームは住宅の中でも最も明るい場所であり、顔色が自然色に近く見え、エアコンなどの空調機器が設置されているため、良好な環境にある。
【０００６】
しかしながら、先に提案した厨房装置は対面式厨房装置でなく、しかも、洗面ボウルがシンクの横に並設されているため、手洗い、布巾洗い、化粧、洗顔等をするには、キッチンまで回り込む必要があり、動線が長くなる。
【０００７】
本願発明は、このような事情に鑑みてなされたものであり、リビング・ダイニングルームにいて手洗い、布巾洗い、化粧、洗顔等を行うことができる対面式厨房装置を提供することを課題としている。
【０００８】
本願発明は、上記の課題を解決するために、第１には、キッチンとリビング・ダイニングルームとの境界に設置される対面式厨房装置において、シンクをキッチン側に、洗面ボウルをリビング・ダイニングルーム側に備え、洗面ボウルはシンクに対面して配置されていることを特徴としている。
【０００９】
本願発明は、第２に、シンク、洗面ボウルのそれぞれにカランが設けられていることを特徴としている。
【００１０】
本願発明は、第３に、洗面ボウルの配置位置に対応して鏡が設けられていることを特徴としている。
【００１１】
本願発明は、第４に、洗面ボウルが対面式厨房装置の本体に収納可能になっていることを特徴としている。
【００１２】
本願発明は、第５に、シンクの背側からリビング・ダイニングルーム側にかけて一段高くなったカウンター部が設けられ、洗面ボウルはカウンター部の下方に配置され、カウンター部の天板の一部または全部が蓋体とされ、蓋体は上下に回動して開閉し、蓋体には、開時にリビング・ダイニングルーム側に位置する面に鏡が設けられていることを特徴としている。
【発明の効果】
【００１３】
本願の第１の発明によれば、洗面ボウルが、対面式厨房装置のリビング・ダイニングルーム側に配置されているため、手洗い、布巾洗い、化粧、洗顔等をリビング・ダイニングルームで行うことができ、動線が短くなり、使い勝手に優れる。また、洗面ボウルは、キッチン側に位置するシンクに対面しているため、給湯・給水配管および排水配管を集約することができ、配管工事を容易にすることができる。
【００１４】
本願の第２の発明によれば、シンクと洗面ボウルに独立して給湯・給水することができ、シンクと洗面ボウルの同時使用も可能になる。
【００１５】
本願の第３の発明によれば、洗面ボウルの近くに鏡があるため、化粧、洗顔等を環境の良好なリビング・ダイニングルームで行うことができる。また、手洗い、洗顔等の際に水がキッチン側に飛散するのを鏡により防止することができ、キッチン側を衛生に保つことができる。
【００１６】
本願の第４の発明によれば、洗面ボウルは、不使用時には対面式厨房装置の本体に収納することができ、洗面ボウルを設けていながらも、不使用時には、洗面ボウルを設けていない対面式厨房装置とほぼ同様の外観が得られ、清潔感がある。
【００１７】
本願の第５の発明によれば、洗面ボウルの不使用時には蓋体を閉じることで、隠すことができ、外観を良好にすることができる。蓋体を開けると、洗面ボウルとともに鏡が現れる。鏡の取付けが容易であり、鏡が対面式厨房装置にコンパクトに納まる。
【発明を実施するための最良の形態】
【００１８】
図１は、本願発明の対面式厨房装置の一実施形態を示した平面図である。
【００１９】
図１に示した対面式厨房装置は、平面視Ｌ形の厨房装置であり、シンク１が配設された部分をリビング・ダイニングルームに向かうように配置し、調理機器２が配設された部分は壁に沿うように配置して、キッチンとリビング・ダイニングルームの境界に設置されている。
【００２０】
図１に示した対面式厨房装置において、リビング・ダイニングルーム側には洗面ボウル３が設けられている。洗面ボウル３は、キッチン側に位置するシンク１に対面して配置されている。シンク１、洗面ボウル３のそれぞれにカラン４、５が設けられている。洗面ボウル３の背側には鏡６が立設されている。
【００２１】
したがって、図１に示した対面式厨房装置では、洗面ボウル３が、リビング・ダイニングルーム側に配置されているため、手洗い、布巾洗い、化粧、洗顔等をリビング・ダイニングルームで行うことができる。動線が短くなり、使い勝手に優れる。また、洗面ボウル３は、キッチン側に位置するシンク１に対面しているため、給湯・給水配管および排水配管を集約することができ、配管工事を容易にすることができる。
【００２２】
さらに、図１に示した対面式厨房装置では、シンク１、洗面ボウル３のそれぞれにカラン４、５が設けられているため、シンク１および洗面ボウル３に独立して給湯・給水することができ、シンク１と洗面ボウル３の同時使用も可能である。
【００２３】
そして、洗面ボウル３の近くに鏡があるため、洗顔、化粧等を、住宅の中でも最も明るく、空調が行き届いた環境の良好なリビング・ダイニングルームで行うことができる。手洗い、洗顔等の際に水跳ねが起こったとしても、鏡６が水の飛散を防止することができ、キッチン側を濡らすことはない。洗面ボウル３がシンク１に対面していても、キッチン側は衛生に保たれる。
【００２４】
本願発明において対面式厨房装置は、図１に示したＬ形タイプのものに限定されず、アイランドタイプの対面式厨房装置であってもよい。アイランドタイプの対面式厨房装置においても、キッチン側にシンク１を、リビング・ダイニングルーム側に洗面ボウル３を設け、洗面ボウル３をシンク１に対面させて配置する。
【００２５】
図２は、本願発明の対面式厨房装置の別の実施形態を示した断面図である。
【００２６】
図２に示した対面式厨房装置においても、キッチン側にシンク１が、リビング・ダイニングルーム側に洗面ボウル３が設けられ、洗面ボウル３はシンク１に対面させて配置されている。また、シンク１、洗面ボウル３のそれぞれにカラン４、５が配設されている。
【００２７】
一方、図２に示した対面式厨房装置では、シンク１の背側からリビング・ダイニングルーム側にかけて一段高くなったカウンター部７が設けられている。洗面ボウル３は、カウンター部７の下方に組み込まれている。人が椅子に座った状態で、手洗い、化粧、洗顔等を行える位置に洗面ボウル３は配置されている。カウンター部７の天板８は、洗面ボウル３の上方に位置する一部が蓋体９とされている。蓋体９は、カウンター部７のキッチン側の上端部に配設された回動軸１０により支持され、上下に９０°回動自在とされている。蓋体９は、閉時には、洗面ボウル３の上方に位置し、カウンター部７の天板８と一致し、洗面ボウル３およびカラン５を隠す。洗面ボウル３を使用する際には、蓋体９を上方に９０°回動させて開ける。蓋体９には、開いた状態において、リビング・ダイニングルーム側に位置する面に鏡６が設けられている。
【００２８】
このように、図２に示した対面式厨房装置では、図１に示した対面式厨房装置の効果に加え、蓋体９を開くことによって洗面ボウル３とカラン５が現れ、使用が可能となる。不使用時には、蓋体９を閉めることによって洗面ボウル３とカラン５を隠すことができ、外観が良好となる。そして、蓋体９に鏡６が取り付けられているので、鏡６の取付け場所を別途用意する必要がなく、鏡６が、対面式厨房装置にコンパクトに納まる。
【００２９】
なお、図２に示した対面式厨房装置では、蓋体９は、カウンター部７の天板８の一部に限られることはなく、天板８の全部を蓋体９にすることもできる。この場合、蓋体９を開け、立てることで、キッチンがリビング・ダイニングルームから見えなくなり、来客時等に好都合となる。また、調理作業時に生じやすいリビング・ダイニングルーム側に向かう水跳ね、油跳ね等を天板８により防止することができ、リビング・ダイニングルーム側を汚さずに済む。
【００３０】
図３は、本願発明の対面式厨房装置の別の実施形態を示した断面図である。
【００３１】
図３に示した対面式厨房装置においても、キッチン側にシンク１が設けられ、リビング・ダイニングルーム側に洗面ボウル３が設けられ、洗面ボウル３はシンク１に対面して配置されている。シンク１、洗面ボウル３のそれぞれにカラン４、５が設けられている。カラン５は、洗面ボウル３の底部より立ち上がった立ち上がり壁部１１に取り付けられている。
【００３２】
一方、図３に示した対面式厨房装置では、シンク１の背側からリビング・ダイニングルーム側にかけて一段高くなったカウンター部７が設けられ、洗面ボウル３は、カウンター部７のほぼ直下に位置している。
【００３３】
洗面ボウル３は、下端部において、対面式厨房装置の本体１２のリビング・ダイニングルーム側の前面部１３に設けられた回動軸１４により支持され、上下に９０°の回動が可能になっている。下方へ回動させ、洗面ボウル３を本体１２に対し直角に配置させると、洗面ボウル３の使用が可能となる。不使用時には、洗面ボウル３を上方に回動させる。本体１２には、洗面ボウル３を収納することのできる収納空間が形成されていて、収納空間は、カウンター部７の下方に位置している。このため、不使用時には、洗面ボウル３を本体１２の内部に収納することができる。
【００３４】
また、洗面ボウル３は、蓋体１５と一体化されている。蓋体１５は、閉時には、本体１２のリビング・ダイニングルーム側の前面部１３と同一平面上に配置される。蓋体１５は、回動軸１４によって上下に回動する開き戸のようになっており、蓋体１５を操作することにより、洗面ボウル３を使用可能状態、収納状態に切り替えることができる。
【００３５】
したがって、図３に示した対面式厨房装置では、図１に示した対面式厨房装置の効果に加え、洗面ボウル３を不使用時に本体１２の内部に収納することができ、洗面ボウル３を設けていながらも、不使用時には洗面ボウル３を設けていない対面式厨房装置と同じ外観が得られ、清潔感がある。
【００３６】
また、洗面ボウル３の使用可能状態、収納状態の切り替えは、蓋体１５の開閉操作によって行うことができ、蓋体１５の開閉は、本体１２のリビング・ダイニングルーム側の前面部１３で行うことができるため、操作は容易である。しかも、蓋体１５は、上下に回動する開き戸式であり、蓋体１５の開閉は容易であって、洗面ボウル３の使用状態、収納状態の切り替えが容易である。さらに、蓋体１５は、閉時には本体１２のリビング・ダイニングルーム側の前面部１３と同一平面上に配置されるため、閉時の外観は良好である。
【図面の簡単な説明】
【００３７】
【図１】本願発明の対面式厨房装置の一実施形態を示した平面図である。
【図２】本願発明の対面式厨房装置の別の実施形態を示した断面図である。
【図３】本願発明の対面式厨房装置の別の実施形態を示した断面図である。
【符号の説明】
【００３８】
１    シンク
２    調理機器
３    洗面ボウル
４、５    カラン
６    鏡
７    カウンター部
８    天板
９    蓋体
１０    回動軸
１１    立ち上がり壁部
１２    本体
１３    前面部
１４    回動軸
１５    蓋体
【図２】
2007054411.tif 000003
【図３】
2007054411.tif 000004
【図１】
2007054411.tif 000005